(57)【要約】【課題】本発明は、記憶手段に記録されたオーディオ／ビデオ文書へのアクセスを保護することを目的とする表示装置及び表示方法に関する。【解決手段】上記装置は、文書のマスキング閾値を設定する手段と、記憶手段において、マスキング閾値よりも旧い、記録された文書をマスキングする手段とを備える。【選択図】図３
2010148100.tif 000002
【特許請求の範囲】
【請求項１】
記憶手段に記録されたオーディオ／ビデオ文書へのアクセスを保護することを目的とする表示装置であって、
前記文書のマスキング閾値を設定する手段と、
前記マスキング閾値よりも、前記記憶手段において旧い、記録された文書をマスキングする手段と
を備える装置。
【請求項２】
請求項１記載の装置であって、前記設定を非能動化する手段を備え、前記非能動化は、前記記録された文書全ての表示を可能にする装置。
【請求項３】
請求項２記載の装置であって、前記非能動化する手段はアクセス・コードによって保護される装置。
【請求項４】
請求項３記載の装置であって、前記アクセス・コードは主ユーザにアクセス可能である装置。
【請求項５】
請求項１乃至４の何れか一項による装置であって、前記文書のマスキング閾値を設定する手段は、少なくとも１つの遅延又は１つの日付を初期化することを可能にする装置。
【請求項６】
請求項１乃至５の何れか一項に記載の装置であって、前記記憶手段における前記文書の旧さは、前記記憶手段上の記録の日付に対するものである装置。
【請求項７】
請求項１乃至６の何れか一項に記載の装置であって、前記文書の前記マスキング閾値を設定する手段は、前記記憶手段における前記文書の記録に先行して、前記閾値を定める装置。
【請求項８】
請求項１乃至６の何れか一項に記載の装置であって、前記文書の前記マスキング閾値を設定する手段は、前記記憶手段における前記文書の表示に先行して、前記閾値を定める装置。
【請求項９】
請求項１乃至８の何れか一項に記載の装置であって、前記記憶手段は好ましくは、ＵＳＢ周辺装置又はメモリ・カードなどの大容量記憶タイプのものである装置。
【請求項１０】
請求項１乃至９の何れか一項に記載の装置であって、オーディオ・レコーダ、静止画カメラ、ディジタル・カムコーダ、又はプロ向ビデオ・カメラである装置。
【請求項１１】
請求項１乃至１０の何れか一項に記載の装置であって、ループにおいて連続して前記記録された文書及びマスキングされていない文書を表示する手段を備える装置。
【請求項１２】
記憶空間に記録されたオーディオ／ビデオ文書へのアクセスを保護することを目的とする表示方法であって、
前記文書のマスキング閾値を設定する工程と、
前記マスキング閾値よりも、前記記憶空間において旧い、記録された文書をマスキングする工程と
を含む方法。
【発明の詳細な説明】
【技術分野】
【０００１】
本発明は、旧い順に、記憶手段に記録されたオーディオ／ビデオ文書へのアクセスを保護することを目的とする表示装置（特に、ディジタル・カメラ）に関する。本発明は、旧い順に、記憶手段に記録されたオーディオ／ビデオ文書へのアクセスを保護することを目的とする表示方法にも関する。
【背景技術】
【０００２】
電子装置は、種々の環境から来るデータ（特に、オーディオ／ビデオ・データ）の記憶を可能にする。このデータの表示はそれ自体を、種々の環境で行うことが可能であり、電子装置の使用は一層、移動性が高くなってきている。よって、機密性の問題が生じ得る。
【０００３】
例えば、ディジタル・カメラの使用を、職業上の環境及び私的な環境において検討することが可能である。職業上の環境で撮られた写真をその後、私的な環境で視ることが可能であるということが分かるのは不安であり得る。第三者が装置のメモリをブラウジングし、直前に撮られた写真のみならず、装置のメモリに含まれるオーディオ／ビデオ文書全ても視ることが可能であるという点で、装置が第三者に貸与される場合、不安材料になり得る。
【０００４】
例えば、音楽又はビデオ・ファイルを再生することができるプレイヤに関連付けられていてもいなくてもよいＵＳＢキーを使用することを想定することが可能である。直前に記録された、又は記録する対象の職業上の文書を交換するためにキーが利用可能にされる場合に、先行して記録された職業上の文書を第三者によって視ることが可能であるということは、不安材料であり得る。
【０００５】
例えば、ウィンドウズ（登録商標）による隠しファイル手法を使用して、マスキングすることにより、データへのアクセスを保護することが既に提案されている。しかし、このマスキング処理により、文書が場合によっては表示される前に文書のマスキング特性を規定する必要があり、使用タイプについてのマスキング（例えば、職業上の環境における装置の使用からの、私的なデータのマスキング）を規定する必要があるという二重の弊害がもたらされる。
【０００６】
一方が公開されており、他方はそのアクセスがパスワードを条件とする２つの区分を提供するＵＳＢキーも存在している。キーはその場合、機密データをセキュアに含み得る。やはり、文書のマスキングは、２つの区分のうちの１つにおける文書の記録の時点において規定しなければならない。やはり、マスキングは、特権的なやり方で、一環境を別の環境に対して（例えば、私的な環境を職業上の環境に対して）保護する。
【０００７】
最後に、文書へのアクセスを保護するようにオーディオ／ビデオ文書に関連付けられたライセンスを管理する方法が存在している。この手法は例えば、ビデオ・オン・デマンド（ＶＯＤ）サービスにおいて使用される。オーディオ／ビデオ文書に対する権利は、特定の期間の間について購入される。この期間が満了すると、文書はもう表示に利用可能でない。このシステムは、独自開発の暗号化形式で機能し、オーディオ・ビデオ文書が暗号化され、ライセンスが、文書を視るために必要である。しかし、ビデオ・オン・デマンドの場合、文書は一般に、装置の記録手段に記録されず、オーディオ／ビデオ文書へのアクセスは遠隔である。ライセンス・ファイルのみが記憶手段に保存される。更に、この方法では、有効なライセンスを保有しているユーザは何れも、上記文書にアクセスすることが可能であるが、このユーザは、如何なる場合にも、期間の完了後、文書の保護を修正するか、又はライセンスを復活させることが可能である。
【先行技術文献】
【特許文献】
【０００８】
【特許文献１】欧州特許第１７８５８９６（Ａ）号明細書
【特許文献２】米国特許出願公開第２００８／２８５０８０（Ａ１）号明細書
【特許文献３】米国特許出願公開第２００５／０４４０６６（Ａ１）号明細書
【特許文献４】米国特許出願公開第２００３／１８４６５３（Ａ１）号明細書
【特許文献５】欧州特許第１５８９４４４（Ａ）号明細書
【特許文献６】米国特許出願公開第２００４／２０５２８６（Ａ１）号明細書
【特許文献７】米国特許出願公開第２００５／２６２０８３（Ａ１）号明細書
【特許文献８】米国特許出願公開第２００７／２３６７２９（Ａ１）号明細書
【特許文献９】米国特許出願公開第２００９／１３２４８９（Ａ１）号明細書
【特許文献１０】英国特許出願公開第２４５４００１（Ａ）号明細書
【非特許文献】
【０００９】
【非特許文献１】Ｍａｒｋｖａｒｔ他、「Ｓｉｚｉｎｇ  ａｎｄ  Ｒｅｌｉａｂｌｉｔｙ  ｏｆ  ｓｔａｎｄ  ａｌｏｎｅ  ＰＶ  ｓｙｓｔｅｍｓ，  １２ｔｈ  Ｅ．Ｃ．  Ｐｈｏｔｏｖｏｌｔａｉｃ  Ｓｏｌａｒ  Ｅｎｅｒｇｙ  Ｃｏｎｆ．  Ａｍｓｔｅｒｄａｍ，  Ｔｈｅ  Ｎｅｔｈｅｒｌａｎｄｓ、  Ａｐｒｉｌ  １１−１５、  １９９４，  ｐｐ  １７２２−１７２４」
【発明の概要】
【発明が解決しようとする課題】
【００１０】
本発明は、電子装置のメモリに記録された文書の機密性という問題に対する応答を提供する。本願提案の解決策は、別の環境に対して１つの環境を優先しないという利点、及び装置のメモリにおける文書の記録の前後に実現することができるという利点も有する。
【課題を解決するための手段】
【００１１】
本発明による、記憶手段において記録されたオーディオ・ビデオ文書へのアクセスを保護することを目的とする表示装置は、文書のマスキング閾値を設定する手段と、記憶手段において閾値より旧い記録文書をマスキングする手段とを備える。
【００１２】
閾値は、その時点から文書をマスキングすることが好ましいという時点の旧さを規定する。
【００１３】
本発明の一実施例では、閾値は、１日に固定することが可能であり、その日からのオーディオ・ビデオ文書のみを表示することが可能であり、装置のメモリにおけるより旧い文書はマスキングされる。例えば、カメラのユーザは、Ｊという日に自分のカメラを職業上で使用し、その翌日（Ｊ＋１の日と呼ばれる）に私用で使用することが可能である。私的な環境で撮られた写真を表示しようとする場合、Ｊ＋１と呼ばれる日に撮られた写真のみが可視可能になり、職業上の環境において撮られた、Ｊと呼ばれる日の前日の写真はマスキングされる。同様に、翌日（Ｊ＋２と呼ばれる）に、職業上の環境にいる場合、１日に固定された閾値よりも旧い、私的な環境において撮られた写真は、職業上の環境において目に見えなくなる。ユーザは、別々の用途を適切に分けるようにマスキング閾値を調節しなければならない。よって、本発明による装置は、とりわけ、私的な環境、又は職業上の環境によって特徴付けられることが多いタイプに応じて文書がマスキングされない一方、その旧さに応じてマスキングされるので、本発明による装置は、互いに環境を特権化しないという利点を有する。前述の実施例では、ユーザは、Ｊ＋２と呼ばれる日に、自分の職業上の環境において、３日に自分の文書のマスキング閾値のパラメータも設定することが可能である。この場合、Ｊという日に撮られた職業上の環境の写真、私的な環境に関連付けられた、Ｊ＋１という日の日付の写真、及び、職業上の環境に関連付けられた、Ｊ＋２という日に撮られた写真を可視可能にすることが可能である。
【００１４】
文書のマスキングは、一意に、閾値に対する旧さによって調節され、文書の記録の時点において規定された環境又は機密性という特性によって調節されない。よって、閾値は、調節することが可能であり、装置のメモリにおける文書の記録の前又は後に定めることができるという利点を有する。
【００１５】
更に、好ましい実施例によれば、装置は効果的には、設定を起動解除する手段を備え、起動解除が、記録された文書全ての表示を可能にする。
【００１６】
ユーザは、装置の記憶手段に記録された文書をソート又は削除したい場合、マスキングの制限なしで文書全体を視ることが必要である。よって、マスキング閾値の設定を非能動化することが可能である。しかし、文書の機密性を保護する意味で、この非能動化機能は、好ましくは、主ユーザと呼ばれるユーザに確保される。
【００１７】
よって、非能動化手段は、好ましくは、アクセス・コードによって保護される。
【００１８】
実施例によれば、アクセス・コードは、一連の英数文字、装置の一連の起動キー、又は装置のキーの同時の組合せであり得る。
【００１９】
更に、アクセス・コードは好ましくは、主ユーザにアクセス可能である。
【００２０】
主ユーザは、マスキング閾値の非能動化を保護するアクセス・コードを保有する特権化ユーザ、又は装置の保有者として定義することが可能である。よって、主ユーザは、装置の記憶手段に記録されたオーディオ／ビデオ文書全ての表示、マスキング閾値の設定、及び設定の非能動化を制御する。
【００２１】
特定の実施例によれば、文書のマスキング閾値を設定する手段は、少なくとも１つの遅延又は１つの日付を初期化することを可能にする。
【００２２】
一実施例によれば、マスキング閾値は、時間・日の形式の求められた遅延（例えば、１日）であり得る。別の実施例では、マスキング閾値は、日・月・年の形式の求められた日付（例えば、「04  December  2008（西暦２００８年１２月４日）」であり得る。マスキングを定義する遅延よりも旧いか、又はマスキングを定義する日付よりも旧い場合、記録されたオーディオ／ビデオ文書はマスキングされる。
【００２３】
別の実施例では、最大値を定義する第１の閾値、及び少なくとも、最小値を定義する第２の閾値は、遅延又は日付の形式で設定することが可能である。旧さが最大値よりも大きく、最小値よりも小さい場合、記録されたオーディオ／ビデオ文書はマスキングされる。よって、この実施例は効果的には、文書がマスクされる期間を規定することを可能にする。この実施例では、示した実施例のカメラのユーザは、第１の閾値のパラメータを１日に、第２の閾値を２日に設定することが可能である。この場合、Ｊという日に撮られた職業上の環境の写真を可視可能にし、私的な環境に関連付けられた、Ｊ＋１という日の日付の写真をマスキングし、職業上の環境に関連付けられた、Ｊ＋２という日に撮られた写真を可視可能にすることが可能である。
【００２４】
記憶手段における文書の旧さは、好ましくは、記憶手段上の記録の日付に対するものである。
【００２５】
よって、メタデータは、文書と関連付けられ、前述のメタデータは、文書、画像、ｍｐ３ファイルなどのリソース又はデータの項目を表すデータである。ウィンドウズ（登録商標）におけるプロパティの表示中、システムは、文書のメタデータ（すなわち、文書タイプ、サイズ、修正日付、セキュリティ、共有などの情報の組）を提示する。これらは、オペレーティング・システムのメタデータである。各文書タイプは、メタデータを含み得る。よって、ＥＸＩＦ、ＩＰＴＣ及びＸＭＰのメタデータは、写真文書と関連付けられ、装置モデル、向き、分解能、撮影の日時、写真の修正の日時等などの情報を含む。
【００２６】
一実施例によれば、文書は、ユーザにより、記録手段に記憶され、オペレーティング・システムにより、文書と関連付けられた修正日付のメタデータは次いで、修正され、装置内の文書の記録の日付及び時刻で更新される。この日付は、文書の旧さを規定する。
【００２７】
別の実施例によれば、装置の文書は、やはりＥＸＩＦタイプのメタデータを有するディジタル写真である。撮影の日時は、文書の旧さを規定する。
【００２８】
前述の２つの実施例では、装置の日時は、文書の旧さを規定するが、遅延である場合の閾値と旧さとの間の比較に介入し得る。よって、マスキング閾値が起動されると、装置の日時の修正をロッキングすることが有用であり得る。
【００２９】
第１の実施例によれば、文書のマスキング閾値を設定する手段は、記憶手段における文書の記録前の閾値を定める。
【００３０】
よって、示した実施例のカメラのユーザは、職業上の環境の写真文書の機密性を確保するように、Ｊ＋１という日に写真を撮る前に、事前に、１日に遅延を定めることが可能である。
【００３１】
第２の実施例によれば、文書のマスキング閾値を設定する手段は、記憶手段における文書の表示前の閾値を定める。
【００３２】
この実施例では、閾値の設定は、第１の実施例と同様に記録に先行し得る。
【００３３】
この実施例では、閾値の設定は、効果的には、記憶手段における文書の記録に後続し得る。よって、示された実施例のカメラのユーザは、Ｊ＋２という日に写真を撮った後、Ｊ＋２という日、及びＪという日の職業上の環境からの写真を表示することができるように事後に、遅延を３日に定めることが可能である。
【００３４】
記憶手段は、ＵＳＢ周辺装置又はメモリ・カードなどの大容量記憶装置タイプのものである。
【００３５】
ＵＳＢ周辺装置は、ＵＳＢキー、音楽文書を再生することができるＭＰ３プレイヤ、又はオーディオ及びビデオ・ファイルを再生することができるＭＰ４プレイヤを意味するものとする。更に、メモリ・カードは、コンパクト・フラッシュ、メモリ・スティック、ミニＳＤ、マイクロＳＤ及びｘＤ形式などのフラッシュ・メモリであるものとする。大容量記憶装置は同様に例えば、限定列挙でないが、光ディスク、例えば、ＤＶＤ形式、ミニＤＶサポート及びハード・ディスクであるものとする。
【００３６】
第１の実施例によれば、表示装置は好ましくは、オーディオ・レコーダ、静止画カメラ、ディジタル・カムコーダ又はプロ向ビデオ・カメラである。
【００３７】
第２の実施例によれば、表示装置は、記憶手段、及び文書をマスキングする手段も備える、ＵＳＢキーに関連付けられた記録及び読み取り手段を備えるパソコンでもあり得る。
【００３８】
表示装置は効果的には、文書の連続表示モードを有し得る。マスキングされていない記録された文書のこの表示モードでは、表示手段は、連続し、ループしたやり方で記憶手段をブラウジングする。
【００３９】
よって、示された実施例の静止画カメラのユーザは、Ｊ＋２という日に写真を撮った後、遅延を１日に定めることが可能である。この実施例では、Ｊ＋２という日の最も直近の写真（最新のもの）を表示し、写真の新しい順に装置のメモリを連続してブラウジングすることによって始まり得る。表示する対象の写真の旧さが、Ｊ＋１という日に達すると、写真はマスキングされ、Ｊという日の写真についても同様である。メモリは、ループにおいてブラウジングされ、よって、最も旧い写真の後、最も新しい文書が表示される。後者はマスキングされず、表示される。この実施例では、ユーザは効果的には、その日の写真のみをループにおいて表示することが可能である。
【００４０】
本発明は、記憶空間に記録されたオーディオ／ビデオ文書へのアクセスを保護することを目的とする表示方法にも関する。方法は、文書のマスキング閾値を設定する工程と、記憶空間において、閾値よりも旧い、記録された文書をマスキングする工程とを含む。
【図面の簡単な説明】
【００４１】
【図１】（好ましくは、静止画カメラ・タイプの）表示装置を示すブロック図である。
【図２】（好ましくは、パソコンに関連付けられたＵＳＢ周辺装置大容量記憶装置タイプの）表示装置を示すブロック図である。
【図３】本発明の特定の実施例による、パラメータ設定において効果的に実現された方法を示す図である。
【図４】本発明の特定の実施例による、文書の表示において効果的に実現された方法を示す図である。
【図５】本発明の特定の実施例によって示す実施例の文書のマスキング原理を示す図である。
【発明を実施するための形態】
【００４２】
本発明は、限定列挙でないが、添付図面を参照して実施例及び効果的な実現形態により、更に深く理解し、例証されよう。
【実施例】
【００４３】
図１は、（好ましくは、静止画カメラ・タイプ１１３の）表示装置を示すブロック図である。
【００４４】
静止画カメラ・タイプ１１３の本発明の実施例では、ディジタル写真Ｄなどの文書が、装置の記録手段１００によってキャプチャされる。写真Ｄは記憶手段１０１に記憶される。この実施例では、記憶手段１０１は好ましくは、メモリ・カード（例えば、コンパクト・フラッシュ、メモリ・スティック、ミニＳＤ、マイクロＳＤやｘＤなどの形式を有するフラッシュ・メモリ）、光ディスク（例えば、ＤＶＤ形式やミニＤＶ）、又はハード・ディスクである。
【００４５】
記憶手段１０１における記録の日付は、文書Ｄの旧さ１０８を規定する。設定する手段１０２は、定める対象のディジタル写真Ｄのマスキング閾値Ｓ１をイネーブルする。設定を非能動化する手段（１０３）は、主ユーザによってアクセスすることが可能なアクセス・コード１０６によって保護される。写真Ｄの旧さ１０８、マスキング閾値Ｓ１、及び非能動化１１０のレベルは、マスキング手段の第２のレベル１０４ｂのマスキング・コマンド１１１をマスキング手段の第１のレベル１０４ａで規定することを可能にする。マスキング手段のこの第２のレベル１０４ｂは、静止画カメラ１１３の表示手段１０５におけるマスキング閾値Ｓ１よりも旧さ１０８が大きな可視文書ＤＶの可視化を制御する。
【００４６】
図２は、（好ましくは、パソコン２１３に関連付けられたＵＳＢ周辺装置タイプ２１４の大容量記憶装置の）表示装置を示すブロック図である。
【００４７】
ＵＳＢキー２１４がパソコン２１３と関連付けられる本発明の第２の実施例では、書き込み手段２００は、ＵＳＢインタフェース２１５を使用して文書Ｄ’が記録されることを可能にする。前述の文書Ｄ’は、ＵＳＢキー２１４の記憶手段２０１に記録される。この実施例では、記憶手段２０１は好ましくは、ＵＳＢキー２１４内部のフラッシュ・メモリ構成部分である。この実施例では、文書Ｄ’は、ディジタル写真であり得るが、例えば、限定列挙でないが、オーディオ若しくはビデオ・ファイル又はオフィス文書でもあり得る。
【００４８】
その記録の日付は、文書Ｄ’の旧さ２０８を規定する。マスキング閾値Ｓ１は、ＵＳＢキー２１４の設定手段２０２に記憶される。閾値Ｓ１は、ＵＳＢインタフェース２１５を使用することにより、パソコン２１３の書き込み手段２００により、書き込みモードにおいてアクセスすることが可能である。設定の非能動化手段２０３は、ＵＳＢインタフェース２１５を介して主ユーザによってアクセスすることが可能なアクセス・コード２０６によって保護される。文書Ｄ’の旧さ２０８、マスキング閾値Ｓ１、及び非能動化のレベル２１０は、マスキング手段の第１のレベル２０４ａが、マスキング手段の第２のレベル２０４ｂのマスキング・コマンド２１１を規定することを可能にする。マスキング手段のこの第２のレベル２０４ｂは、常にＵＳＢインタフェース２１５を介してパソコン２１３の読み出し手段２０５により、旧さ２０８がマスキング閾値Ｓ１よりも大きい前述の可視文書Ｄ’Ｖに対する読み出しアクセスを制御する。
【００４９】
図３は、本発明の特定の実施例（例えば、静止画カメラ１１３）による設定手段において実現される方法を示す。上記方法はよって、静止画カメラ１１３のユーザ・インタフェースを介して効果的に実現することが可能なアルゴリズムを表す。
【００５０】
写真キャプチャ・モード状態Ｅ１は効果的には、初期状態として規定される。初期状態Ｅ１から、設定要求工程ＥＰ２にアクセスすることが可能である。この工程ＥＰ２は、機能の非能動化を保護するアクセス・コード、マスキング機能の非能動化、マスキング閾値Ｓ１などのパラメータの別々のプログラムに対するアクセスを可能にする。
【００５１】
よって、閾値プログラミングの検査ＥＰ３中に、ユーザには、プログラムする対象のパラメータがマスキング閾値であるか否かを尋ねる。検査ＥＰ３の結果が否定の場合、写真キャプチャ・モードへのリターンの検査ＥＰ８に達する。検査ＥＰ３の結果が肯定の場合、検査ＥＰ４は、閾値の設定が、日付又は遅延の初期化を可能にするか否かを解析する。検査ＥＰ４の結果が、日付の初期化である場合（はいの場合）、形式に効果的に規定された日付を入力する工程ＥＰ５に達する。検査ＥＰ４の結果が、遅延の初期化である場合（いいえの場合）、ＤＤ／ＭＭ／ＹＹ形式に効果的に規定された遅延を入力する工程ＥＰ６に達する。閾値の入力をし得る前述の２つの工程ＥＰ５及びＥＰ６の後、工程ＥＰ７は文書のマスキング機能を起動させ、次いで、写真キャプチャ・モードへのリターンの検査ＥＰ８に達する。特定の実施例によれば、２つ以上の閾値をそれぞれが定義する２つ以上の遅延又は日付を初期化することが可能である。すなわち、検査ＥＰ４、工程ＥＰ５及びＥＰ６は効果的には、この場合、繰り返すことが可能である。
【００５２】
あるいは、非能動化のプログラミングの検査ＥＰ９中に、ユーザには、プログラムする対象のパラメータがマスキング機能の非能動化であるか否かを尋ねる。検査ＥＰ９の結果が否定の場合、写真キャプチャ・モードへのリターンの検査ＥＰ８に達する。検査ＥＰ９の結果が肯定の場合、マスキング機能の非能動化を効果的に保護するアクセス・コードを入力する工程ＥＰ１０に達する。実施例によれば、アクセス・コードは、一連の英数文字、装置の一連の起動キー、又は装置のキーの同時の組合せであり得る。検査ＥＰ１１は、アクセス・コードが有効であるか否かを検査する。検査Ｅ１１の結果が肯定の場合、工程ＥＰ１２は文書マスキング機能を非能動化し、次いで、写真キャプチャ・モードへのリターンの検査ＥＰ８に達する。検査ＥＰ１１の結果が否定の場合、マスキング機能の非能動化の工程ＥＰ１２を経ることなく写真キャプチャ・モードへのリターンの検査ＥＰ８に達する。
【００５３】
あるいは、文書マスキングの非能動化を保護するアクセス・コードのプログラミングの検査ＥＰ１３中に、ユーザには、プログラミングする対象のパラメータが、マスキング機能の非能動化を保護するアクセス・コードであるか否かを尋ねる。検査ＥＰ１３の結果が否定の場合、写真キャプチャ・モードへのリターンの検査ＥＰ８に達する。検査ＥＰ１３の結果が肯定の場合、アクセス・コードを入力する工程ＥＰ１４に達する。検査ＥＰ１５は、アクセス・コードが有効であるか否かを検査する。検査ＥＰ１５の結果が肯定の場合、工程ＥＰ１６は、新たなアクセス・コードが入力されることを可能にする。次いで、新たなアクセス・コードを起動させる工程ＥＰ１７に達し、次に、写真キャプチャ・モードのリターンの検査ＥＰ８に達する。検査ＥＰ１５の結果が否定の場合、アクセス・コードへの修正なしで、写真キャプチャ・モードへのリターンの検査ＥＰ８に達する。
【００５４】
本発明の特定の実施例によれば、装置の日付及び時刻のプログラミングはアクセス・コードによって保護することが可能である。すなわち、効果的には、この実施例を充足するよう、設定アルゴリズムにおける分岐を追加することが可能である。
【００５５】
検査ＥＰ８では、写真キャプチャ・モード状態Ｅ１に戻るか、又は、設定要求工程ＥＰ２に留まるかをユーザに尋ねる。
【００５６】
よって、図３に示す方法は、本発明の特定の実施例による装置の設定手段において実現することが可能なアルゴリズムを表す。
【００５７】
図４は、本発明の特定の実施例（例えば、静止画カメラ１１３）による文書の表示において効果的に実現される方法を示す。上記方法はよって、静止画カメラ１１３のユーザ・インタフェース手段を使用することにより、効果的に実現することが可能なアルゴリズムを表す。
【００５８】
写真キャプチャ・モード状態Ｅ１は効果的には、初期状態として規定される。初期状態Ｅ１から、記憶手段において記録された文書の表示を要求する工程ＥＡ２にアクセスすることが可能である。この工程ＥＡ２後、一方で、記憶手段１０１、２０１、５０１に記録された文書へのアクセスを可能にし、他方で、文書Ｄに関連付けられたメタデータへのアクセスを可能にするリスト・ポインタを更新する工程ＥＡ３に達する。前述のメタデータのうちで、文書Ｄの旧さ１０８、２０８が求められる。本発明のＵＳＢキー２１４及びパソコン２１３の実施例では、メタデータはオペレーティング・システムのメタデータである。カメラの実施例１１３では、メタデータは、写真文書Ｄに関連付けられたもの（例えば、ＥＸＩＦ）である。
【００５９】
次に、検査ＥＡ４中に、表示機能のマスキング閾値Ｓ１よりも大きいか否かを確かめるために、表示が要求される文書Ｄの旧さが検査される。検査ＥＡ４の結果が否定の場合、文書ＤＶはマスキングされておらず、工程ＥＡ５は文書の表示を可能にする。検査ＥＡ４の結果が肯定の場合、検査ＥＡ７は、マスキング機能を非能動化するか否かを検査する。検査ＥＡ７の結果が肯定の場合、文書はマスキングされず（ＤＶ）、文書の表示を可能にする工程ＥＡ５に達する。検査ＥＡ７の結果が否定の場合、機能が起動されている間、文書はマスキングされ（ＤＭ）、次いで、文書ポインタを更新する工程ＥＡ３へのリターンが存在している。特定の実施例によれば、記録された文書Ｄのリストに対するポインタは効果的には、ループにおいて連続的に更新し、リスト中の第１のマスキングされていない文書ＤＶの表示を認可することが可能である。
【００６０】
文書ＤＶの表示の工程ＥＡ５後、写真キャプチャ・モードへのリターンの検査ＥＡ６に達する。検査ＥＡ６中、写真キャプチャ状態Ｅ１に戻るか、又は工程ＥＰ２に留まり、新たな文書Ｄの表示を要求するかをユーザに尋ねる。
【００６１】
よって、図４に示す方法は、本発明の特定の実施例による装置の表示手段１０５において効果的に実現することが可能なアルゴリズムを表す。
【００６２】
図５は、本発明の特定の実施例による、上記実施例の文書Ｄのマスキング原理を示す図である。
【００６３】
ユーザは、自分のカメラをＪという日に職業上の環境で使用し、Ｊ＋１という日に私的な環境で使用し、もう一度、Ｊ＋２という日に職業上の環境で使用する。ユーザは、種々のやり方で、別の環境に対する一環境の写真の機密性を保護したい。図５は、マスキング閾値Ｓ１、Ｓ２の設定モードに応じて、文書マスキング機能の非能動化（カメラ１１３のメモリに記憶された文書Ｄを可視状態にするか、又は可視でない状態にする方法）を示す。
【００６４】
ユーザの静止画カメラ１１３のメモリ５０１の状態は、Ｊ＋２という日で表す。すなわち、その旧さがＪという日、Ｊ＋１という日、及びＪ＋２という日に対するものである文書Ｄを含む。
【００６５】
設定モード５０２では、マスキング閾値Ｓ１は、１日に定められ、マスキング機能はアクティブである。Ｊ＋２という日の職業上の環境では、１日に定められたマスキング閾値Ｓ１よりも旧い、Ｊという日又はＪ＋１という日の写真ＤＭはマスキングされ、他の写真ＤＶは可視である。
【００６６】
第２のパラメータ設定モード５０３では、マスキング閾値Ｓ１は１日になお定められるが、マスキング機能はユーザによって非能動化される。Ｊ＋２という日の職業上の環境では、Ｊという日、Ｊ＋１という日、又はＪ＋２という日の写真ＤＶ全てが可視である。ユーザは例えば、装置のメモリに含まれる写真のうちの何れか１つをソート又は削減することが可能である。
【００６７】
本発明の特定の実施例５０４では、第１のマスキング閾値Ｓ１は最大値を規定し、第２のマスキング閾値Ｓ２は最小値を規定し、最大値Ｓ１よりも旧く、最小値Ｓ２よりも新しい場合、文書はマスキングされる。設定モード５０４はよって、マスキング閾値Ｓ１を１日に定めること、マスキング閾値Ｓ２を２日に定めること、及びマスキング機能の起動を規定する。Ｊ＋２という日の職業上の環境では、１日に定めたマスキング閾値Ｓ１よりも旧く、２日に定めたマスキング閾値Ｓ２よりも新しい、Ｊ＋１という日の写真ＤＭはマスキングされる。マスキング閾値Ｓ１よりも旧くない、Ｊ＋２という日の職業上の環境の写真ＤＶが可視である。マスキング閾値Ｓ２よりも旧くない、Ｊという日の職業上の環境の写真ＤＶも可視である。
【００６８】
更に、別々のパラメータを、装置１０１、２０１，５０１のメモリに含まれる文書Ｄと無関係にプログラムすることが可能である。よって、文書Ｄの機密性は効果的には、文書の記録前又は記録後に修正することが可能である。
【符号の説明】
【００６９】
１０１  記憶装置
１１３  表示装置
２０１  記憶装置
２１３  表示装置
２１４  表示装置
５０１  記憶装置
Ｄ  文書
Ｄ’  文書
Ｓ１  マスキング閾値
Ｓ２  マスキング閾値
【図１】
2010148100.tif 000003
【図２】
2010148100.tif 000004
【図３】
2010148100.tif 000005
【図４】
2010148100.tif 000006
【図５】
2010148100.tif 000007
【外国語明細書】
2010148100000001.pdf